(57)【特許請求の範囲】
【請求項１】
ラックを形成する一対のマウントアングルのうちの少なくともいずれか一方と、パッチパネルの長手方向両端部のうちの少なくともいずれか一方との間に設けられ、前記パッチパネルを前記マウントアングルに固定するためのパッチパネル固定装置であって、
前記マウントアングルに締結具により固定される固定部材と、
前記固定部材に回動自在に取り付けられ、前記パッチパネルに締結具により固定される回動部材と、
を備え、
前記固定部材の前記マウントアングルへの固定側取付部と、前記回動部材の前記パッチパネルへの回動側取付部との間に、前記パッチパネルに設けたケーブルサポートバーの逃げ間隙を設けることを特徴とするパッチパネル固定装置。
【請求項２】
請求項１記載のパッチパネル固定装置において、前記回動部材に、前記ケーブルサポートバーを前記パッチパネルに固定する固定具が入り込む切欠部を設けることを特徴とするパッチパネル固定装置。 
【発明の詳細な説明】
【技術分野】
【０００１】
本発明は、ラックを形成する一対のマウントアングルのうちの少なくともいずれか一方と、パッチパネルの長手方向両端部のうちの少なくともいずれか一方との間に設けられ、パッチパネルをマウントアングルに固定するためのパッチパネル固定装置に関する。
【背景技術】
【０００２】
従来、インターネット用サーバ等を設置したデータセンタにおいては、ＬＡＮケーブル（通信ケーブル）の配線を効率良く管理，施工するために、パッチパネルを用いたＬＡＮ配線システムを用いている。このＬＡＮ配線システムに用いるパッチパネルは、例えば、１９インチラック（ラック）にマウント可能に形成され、４つや６つ等のモジュラジャックを備えたローゼットを複数個搭載している。そして、他のインターネット用サーバ等からの通信ケーブルを、パッチパネルの前面の所定のモジュラジャックに差し込むことで、パッチパネルの背面に配線された通信ケーブルを介して所望のネットワークを構築することができる。ここで、パッチパネルの背面に配線された通信ケーブルは、ラック内で結束バンド（ケーブルタイ）を用いて整理されており、これにより、その後のＬＡＮ配線システムの保守性等を向上させている。
【０００３】
このようなパッチパネルとしては、例えば、特許文献１に記載された技術が知られている。特許文献１に記載されたパッチパネルは、パッチパネルを形成するパネルの長手方向両端部に設けた長孔に取付ねじを挿通し、当該取付ねじをキャビネットラック（ラック）のフレーム（マウントアングル）に設けたねじ孔にねじ結合することで、キャビネットラックに固定されている。そして、パッチパネルの背面に配線される通信ケーブルを増設する場合等においては、パッチパネルの背面に手を廻して配線作業を行うか、パッチパネルをキャビネットラックから一旦取り外して配線作業を行うようにする。
【先行技術文献】
【特許文献】
【０００４】
【特許文献１】特開２０００−３３１７３９号公報
【発明の概要】
【発明が解決しようとする課題】
【０００５】
しかしながら、ラックに搭載される機器の台数が多い場合等、ＬＡＮ配線システムの仕様によってはラック内のスペースが小さくなり、これによりパッチパネルの背面に手を廻して配線作業を行うのが困難となる場合がある。このような場合においては、上述の特許文献１に記載されたパッチパネルでは、パッチパネルをラックから一旦取り外して配線作業を行うことになる。したがって、パッチパネルをラックから取り外す際に、パッチパネルに無理な力（引っ張り力等）が加わることもあり、この場合には既設の通信ケーブルに負荷が掛かり、コネクタを破損させたり通信ケーブルを断線させたりすることが起こり得る。複数あるコネクタおよび通信ケーブルの中から、破損箇所または断線箇所を特定するのは困難であり、ひいてはシステムを復帰させるのに多くの時間を要する等の問題を生じ得る。
【０００６】
なお、通信ケーブルの増設を不要とするために、パッチパネルの背面に接続可能な通信ケーブルを予め全て配線しておくことも考えられるが、この場合には、簡素化したＬＡＮ配線システムを構築する場合に多くの通信ケーブルが不要となり無駄が多くなるばかりか、ＬＡＮ配線システムのコストアップの原因にもなり現実的ではない。
【０００７】
本発明の目的は、通信ケーブルに負荷が掛かるのを抑制して、通信ケーブルの配線を効率良く管理，施工可能とするパッチパネル固定装置を提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
すなわち、本発明のパッチパネル固定装置は、ラックを形成する一対のマウントアングルのうちの少なくともいずれか一方と、パッチパネルの長手方向両端部のうちの少なくともいずれか一方との間に設けられ、前記パッチパネルを前記マウントアングルに固定するためのパッチパネル固定装置であって、前記マウントアングルに締結具により固定される固定部材と、前記固定部材に回動自在に取り付けられ、前記パッチパネルに締結具により固定される回動部材と、を備え、前記固定部材の前記マウントアングルへの固定側取付部と、前記回動部材の前記パッチパネルへの回動側取付部との間に、前記パッチパネルに設けたケーブルサポートバーの逃げ間隙を設けることを特徴としている。
【発明の効果】
【００１１】
本願において開示される発明のうち、代表的なものによって得られる効果を簡単に説明すれば以下の通りである。
【００１２】
すなわち、通信ケーブルに負荷が掛かるのを抑制して、通信ケーブルの配線を効率良く管理，施工可能とする。
【図面の簡単な説明】
【００１３】
【図１】パッチパネルを固定したラックの概略を示す斜視図である。
【図２】パッチパネルのラックへの固定状態を詳細に示す斜視図である。
【図３】ケーブルサポートバーの取付構造を示す斜視図である。
【図４】本実施の形態に係るパッチパネル固定装置の詳細構造を示す斜視図である。
【図５】（ａ），（ｂ）は、パッチパネルのパッチパネル固定装置への取付手順を説明する説明図である。
【発明を実施するための形態】
【００１４】
以下、本発明の一実施の形態について、図面を用いて詳細に説明する。
【００１５】
図１はパッチパネルを固定したラックの概略を示す斜視図を、図２はパッチパネルのラックへの固定状態を詳細に示す斜視図を、図３はケーブルサポートバーの取付構造を示す斜視図を、図４は本実施の形態に係るパッチパネル固定装置の詳細構造を示す斜視図を、図５（ａ），（ｂ）はパッチパネルのパッチパネル固定装置への取付手順を説明する説明図をそれぞれ表している。
【００１６】
図１に示すように、ＬＡＮ配線システム１０は、ラック２０とパッチパネル３０とを備えている。ラック２０は１９インチラックを形成し、鋼板をプレス加工等することで略正方形形状に形成された底板２１と天板２２とを備えている。底板２１と天板２２との間には、複数のフレーム部材２３と、パッチパネル３０をラック２０に搭載するための一対のマウントアングル２４とが設けられている。
【００１７】
ここで、ラック２０は、底板２１，天板２２，各フレーム部材２３および各マウントアングル２４から形成され、各フレーム部材２３および各マウントアングル２４は、底板２１および天板２２に対して固定ねじや溶接等（図示せず）により固定されている。
【００１８】
ラック２０には、パッチパネル３０の他に、ルータやスイッチングハブ等の機器（図示せず）が搭載されている。これらの機器の間には、ケーブルとしての複数のＬＡＮケーブル（通信ケーブル）２５が配線され、これにより各機器間において互いに通信可能となっている。各機器間に設けた各ＬＡＮケーブル２５は、ラック２０の内部において、可撓性を有するプラスチック材料等よりなる結束バンド（ケーブルタイ）ＵＢによって結束され、フレーム部材２３に沿わせて整理されている。
【００１９】
各マウントアングル２４の前面側には、各マウントアングル２４の長手方向に沿って、複数のねじ孔２４ａが等間隔で並んで設けられている。各ねじ孔２４ａには、図２に示すように、パッチパネル３０を各マウントアングル２４に固定するための固定ボルト（締結具）Ｓ１が貫通するようになっている。ここで、任意のねじ孔２４ａを選択することで、パッチパネル３０を所望の高さ位置でラック２０に搭載することができる。
【００２０】
パッチパネル３０は、図２に示すように、パネルフレーム３１，複数のローゼット３２，前面側ケーブルサポートバー３３および背面側ケーブルサポートバー３４を備えている。
【００２１】
パネルフレーム３１は、鋼板等をプレス加工することにより長尺の略箱形状に形成され、パネルフレーム３１には、４つのモジュラジャック３２ａを内蔵した４ポートタイプのローゼット３２が固定されている。ローゼット３２は、パネルフレーム３１の長手方向に沿って６つ並んで設けられ、これによりパッチパネル３０は、２４個のモジュラジャック３２ａを備えた２４ポートタイプのパッチパネルとなっている。
【００２２】
パネルフレーム３１の長手方向両端部には、パッチパネル３０を各マウントアングル２４に固定するための固定片３１ａがそれぞれ設けられている。各固定片３１ａには、図３示すように一対のねじ孔３１ｂがそれぞれ設けられ、各ねじ孔３１ｂには、パッチパネル３０を各マウントアングル２４に固定するための締結具としての固定ボルトＳ２（図２，図５参照）が貫通するようになっている。
【００２３】
ここで、各ねじ孔３１ｂはパネルフレーム３１の長手方向に沿って延びる略楕円形状に形成され、これにより、パッチパネル３０のラック２０への取付誤差を吸収できるようにしている。
【００２４】
各固定片３１ａの長手方向（図中上下方向）に沿う各ねじ孔３１ｂの間には、各ケーブルサポートバー３３，３４の各取付脚部３３ａ，３４ａが固定されている。各取付脚部３３ａ，３４ａは、固定具としての取付ボルトＳ３および取付ナットＮ３によって、各固定片３１ａにそれぞれ固定されている。
【００２５】
図２および図３に示すように、パッチパネル３０の前面側および背面側には、パッチパネル３０の前面および背面に配線される各ＬＡＮケーブル２５，２６を保持する前面側および背面側ケーブルサポートバー（ケーブルサポートバー）３３，３４が設けられている。各ケーブルサポートバー３３，３４は、断面が円形の鋼棒を屈曲成形することで略Ｕ字形状に形成され、各ケーブルサポートバー３３，３４の両端部には、板状に押圧変形された取付脚部３３ａ，３４ａが設けられている。
【００２６】
略Ｕ字形状に形成した各ケーブルサポートバー３３，３４の開口側は、パネルフレーム３１側に向けられて互いに対向しており、これにより各ケーブルサポートバー３３，３４と各ローゼット３２（パネルフレーム３１）との間には、所定の間隙ＳＰ１が形成されている。間隙ＳＰ１の幅寸法、つまり各ケーブルサポートバー３３，３４と各ローゼット３２（パネルフレーム３１）との離間寸法は、各ＬＡＮケーブル２５，２６の端部に一体に設けたコネクタ２６ａ（ＬＡＮケーブル２６側のみ示す）の長さ寸法（差し込み高さ寸法）以上の寸法に設定されている。これにより、コネクタ２６ａのモジュラジャック３２ａへの抜き差しを容易に行えるようにしている。
【００２７】
各ＬＡＮケーブル２５の一端側は、背面側ケーブルサポートバー３４に結束バンドＵＢを介して保持され、さらにコネクタ（図示せず）を介して各ローゼット３２の背面に配線されている。各ＬＡＮケーブル２６の一端側は、前面側ケーブルサポートバー３３に結束バンドＵＢを介して保持され、さらにコネクタ２６ａを介して各ローゼット３２のモジュラジャック３２ａに配線されている。これにより、図２中破線矢印（１）に示すように、ラック２０に対してパッチパネル３０を移動させたとしても、各ＬＡＮケーブル２５，２６の一端側（コネクタ２６ａ等）に無理な引っ張り力（負荷）が掛かるのを抑えて、各ＬＡＮケーブル２５，２６の断線やコネクタ２６ａ等の破損を防止している。
【００２８】
図２に示すように、パッチパネル３０を形成する各固定片３１ａと各マウントアングル２４との間には、パッチパネル固定装置４０がそれぞれ設けられている。パッチパネル固定装置４０は、パッチパネル３０を各マウントアングル２４に対して開閉可能に固定するためのもので、図４に示すように、固定部材４１および回動部材４２を備えた蝶番により形成されている。
【００２９】
固定部材４１は、鋼板等をプレス加工することで略長方形形状に形成され、固定部材４１の長手方向に沿う両端側寄りには、各固定ボルトＳ１（図２参照）が貫通する一対の貫通孔４１ａが設けられている。つまり、固定部材４１は、各固定ボルトＳ１および図５に示す固定ナット（締結具）Ｎ１によって、各マウントアングル２４に固定される。ここで、固定部材４１は、本発明における固定側取付部を兼ねている。
【００３０】
回動部材４２は、鋼板等をプレス加工することで略長方形形状に形成された第１板状体４２ａと、鋼板等をプレス加工することで略Ｌ字形状に屈曲成形された第２板状体４２ｂとを備えている。第２板状体４２ｂは、第１板状体４２ａにスポット溶接等により固定された板状部４２ｃと、板状部４２ｃに略垂直状態で一体に設けられた一対の回動側取付部４２ｄとを備えている。
【００３１】
固定部材４１および第１板状体４２ａは、芯金４３を介して互いに回動自在に取り付けられ、固定部材４１および回動部材４２は芯金４３の中心軸Ｃ１を中心に、破線矢印（２）の方向に揺動するようになっている。ここで、芯金４３の両端側は第１板状体４２ａの一対の筒状部４２ｅにカシメ固定され、固定部材４１の筒状部４１ｂは芯金４３に対して回動自在となっている。したがって、芯金４３は各筒状部４２ｅ，４１ｂから抜け落ちること無く、固定部材４１および回動部材４２を回動自在に支持可能となっている。
【００３２】
第２板状体４２ｂの板状部４２ｃおよび各回動側取付部４２ｄは、互いに垂直（９０°）となるよう屈曲され、各回動側取付部４２ｄは固定部材４１に対して正面から対向可能となっている。各回動側取付部４２ｄを固定部材４１に対して正面から対向させた状態（固定部材４１および回動部材４２を閉じた状態）において、固定部材４１と各回動側取付部４２ｄとの間には、図５に示すように離間距離がＬに設定された逃げ間隙ＳＰ２が形成される。このように、逃げ間隙ＳＰ２を形成することで、その内部にパッチパネル３０の背面側ケーブルサポートバー３４が入り込み（逃げ込み）、背面側ケーブルサポートバー３４と固定部材４１（マウントアングル２４）との干渉を防止している。
【００３３】
各回動側取付部４２ｄには、各固定ボルトＳ２（図２，図５参照）が貫通する貫通孔４２ｆがそれぞれ設けられている。つまり、回動部材４２には、各固定ボルトＳ２および図５に示す固定ナット（締結具）Ｎ２によって、パッチパネル３０の固定片３１ａが固定されるようになっている。このようにパッチパネル３０は、各パッチパネル固定装置４０を介してラック２０（図１参照）に固定されている。
【００３４】
パッチパネル固定装置４０の長手方向に沿う各回動側取付部４２ｄ間には、切欠部４２ｇが形成されている。この切欠部４２ｇは、パッチパネル３０の固定片３１ａをパッチパネル固定装置４０の各回動側取付部４２ｄに固定した状態のもとで、背面側ケーブルサポートバー３４をパッチパネル３０（固定片３１ａ）に固定するための取付ナットＮ３が入り込むようになっている。これにより、パッチパネル３０がパッチパネル固定装置４０および各マウントアングル２４のそれぞれに干渉するのを防止している。
【００３５】
各パッチパネル固定装置４０は、各マウントアングル２４のそれぞれに対して、同じ高さに位置に取り付けられるよう同じ高さ位置にあるねじ孔２４ａ（図２参照）に、各固定ボルトＳ１により固定される。ここで、各パッチパネル固定装置４０は、固定部材４１および回動部材４２を閉じた状態、つまり図５に示すように断面がＵ字形状となった状態のもとで、そのＵ字形状の開口側が互いに向き合うよう各マウントアングル２４にそれぞれ固定される。これにより、ラック２０に対してパッチパネル３０を開いた際に、その開口角度（開き具合）を大きくなるようにし、配線作業を容易に行えるようにしている。
【００３６】
次に、以上のように形成したパッチパネル固定装置４０の動作について、図面を用いて詳細に説明する。
【００３７】
パッチパネル３０をラック２０に搭載するには、まず、各マウントアングル２４の同じ高さ位置にある各ねじ孔２４ａに対して、各パッチパネル固定装置４０を固定ボルトＳ１および固定ナットＮ１により固定する。次いで、各パッチパネル固定装置４０のうちのいずれか一方（ここでは図２中左側）に、パッチパネル３０の固定片３１ａを固定ボルトＳ２および固定ナットＮ２により固定する。これにより、一方のパッチパネル固定装置４０が固定部材４１を介して一方のマウントアングル２４に固定されるとともに、一方のパッチパネル固定装置４０の回動部材４２にパッチパネル３０の長手方向一側（図２中左側）が固定される。
【００３８】
その後、図２中破線矢印（１）に示すように、一方のパッチパネル固定装置４０を介してパッチパネル３０を移動させて、パッチパネル３０の長手方向他側（図２中右側）をラック２０に対して開いた状態としておく。そして、パッチパネル３０を開いた状態のもとで、パッチパネル３０の背面に複数のＬＡＮケーブル２５を配線する。
【００３９】
このとき、一方のパッチパネル固定装置４０の芯金４３（中心軸Ｃ１）を中心として、パッチパネル３０の長手方向他側を開くようにしているので、各ＬＡＮケーブル２５を一方のパッチパネル固定装置４０側に集約させるよう、結束バンドＵＢを用いて背面側ケーブルサポートバー３４に沿わせて整理しておく。また、パッチパネル３０の前面に配線する複数のＬＡＮケーブル２６においても、各ＬＡＮケーブル２５と同様に、一方のパッチパネル固定装置４０側に集約させるよう、結束バンドＵＢを用いて前面側ケーブルサポートバー３３に沿わせて整理しておく。これにより、パッチパネル３０の開閉動作時において、各ＬＡＮケーブル２５，２６に無理な引っ張り力（負荷）が掛かるのを抑えることができる。
【００４０】
そして、各ＬＡＮケーブル２５，２６の配線作業を終えた後は、図４および図５の破線矢印（３）に示すように一方のパッチパネル固定装置４０を介してパッチパネル３０を移動させ、パッチパネル３０の長手方向他側をラック２０に対して閉じた状態とする。このとき、背面側ケーブルサポートバー３４が回動部材４２の切欠部４２ｇを通過するとともに、切欠部４２ｇの内部には取付ナットＮ３が配置される。その後、パネルフレーム３１の固定片３１ａが各回動側取付部４２ｄに当接して、各貫通孔４２ｆと各ねじ孔３１ｂとが対向し、各貫通孔４２ｆおよび各ねじ孔３１ｂに対して固定ボルトＳ２を貫通できるようになる。
【００４１】
次いで、図５（ｂ）中破線矢印（４）に示すように、各貫通孔４２ｆおよび各ねじ孔３１ｂ（図２参照）に固定ボルトＳ２を貫通させ、貫通した固定ボルトＳ２に、同図中破線矢印（５）に示すように固定ナットＮ２をねじ結合する。これにより、パッチパネル３０の長手方向他側が、他方のパッチパネル固定装置４０（図２中右側）に固定され、パッチパネル３０の各マウントアングル２４（ラック２０）への固定が完了する。
【００４２】
ここで、パッチパネル３０の背面にＬＡＮケーブル２５を増設する場合には、上記手順とは逆の手順で、パッチパネル３０の長手方向他側の他方のパッチパネル固定装置４０に対する固定を解除する。そして、一方のパッチパネル固定装置４０を介してパッチパネル３０の長手方向他側を開く。これにより、パッチパネル３０の背面側が外部に露出されて、パッチパネル３０の背面へのＬＡＮケーブル２５の配線作業が行えるようになる。
【００４３】
以上詳述したように、本実施の形態に係るパッチパネル固定装置４０によれば、各マウントアングル２４に固定ボルトＳ１（固定ナットＮ１）により固定される一対の固定部材４１と、各固定部材４１にそれぞれ回動自在に取り付けられ、パッチパネル３０の各固定片３１ａに固定ボルトＳ２（固定ナットＮ２）により固定される一対の回動部材４２とを備えている。よって、パッチパネル３０の長手方向両端部のうちの一方側の回動部材４２の固定ボルトＳ２（固定ナットＮ２）を取り外すことで、パッチパネル３０をラック２０に対して開閉自在とすることができる。
【００４４】
したがって、パッチパネル３０の背面に充分なスペースが無くてもパッチパネル３０をラック２０から取り外すこと無く、パッチパネル３０を開いてＬＡＮケーブル２５の配線作業を行うことができる。また、パッチパネル３０をラック２０から取り外さなくて済むので、既設のＬＡＮケーブル２５に負荷が掛かるのを抑えることができ、ＬＡＮケーブル２５の断線等を防止することができる。
【００４５】
また、本実施の形態に係るパッチパネル固定装置４０によれば、固定部材４１と回動側取付部４２ｄとの間に、パッチパネル３０に設けた背面側ケーブルサポートバー３４の逃げ間隙ＳＰ２を設けたので、各ケーブルサポートバー３３，３４を備えたパッチパネル３０に対応できるようになっている。よって、各ケーブルサポートバー３３，３４に各ＬＡＮケーブル２５，２６を沿わせておくことで、より各ＬＡＮケーブル２５，２６に負荷が掛からないよう配線作業をすることができる。
【００４６】
さらに、本実施の形態に係るパッチパネル固定装置４０によれば、回動部材４２に、各ケーブルサポートバー３３，３４をパッチパネル３０に固定する取付ボルトＳ３（取付ナットＮ３）が入り込む切欠部４２ｇを設けたので、各ケーブルサポートバー３３，３４を備えたパッチパネル３０を、干渉すること無くマウントアングル２４へ固定することができる。
【００４７】
本発明は上記実施の形態に限定されるものではなく、その要旨を逸脱しない範囲で種々変更可能であることは言うまでもない。例えば、上記実施の形態においては、各マウントアングル２４と各固定片３１ａとの間に、パッチパネル固定装置４０をそれぞれ設けたものを示したが、本発明はこれに限らず、少なくともいずれか一方にパッチパネル固定装置４０を設けるようにしても良い。この場合、ラック２０に対するパッチパネル３０の開閉仕様（右開き／左開き）に合わせて、パッチパネル固定装置４０を設置するようにする。
【００４８】
また、上記実施の形態においては、ラック２０に対するパッチパネル３０の開閉仕様を、パッチパネル３０の長手方向他側（図２中右側）を開くようにしたものを示したが、本発明はこれに限らず、パッチパネル３０の長手方向一側を開くようにしても良い。この場合、上記実施の形態とは逆に、各ＬＡＮケーブル２５，２６を他方のパッチパネル固定装置４０側（図２中右側）に集約させるよう、結束バンドＵＢを用いて背面側ケーブルサポートバー３４，前面側ケーブルサポートバー３３に沿わせて整理するようにする。
【００４９】
さらに、上記実施の形態においては、パッチパネル固定装置４０を形成する回動部材４２を、別体の第１板状体４２ａと第２板状体４２ｂとから形成し、第２板状体４２ｂの板状部４２ｃを第１板状体４２ａにスポット溶接等により一体化したものを示したが、本発明はこれに限らず、第１板状体４２ａと第２板状体４２ｂとを予め一体成形しておいても良い。
【００５０】
また、上記実施の形態においては、図５に示すようにパッチパネル固定装置４０の芯金４３（中心軸Ｃ１）が、マウントアングル２４寄りに配置されるようにしたものを示したが、本発明はこれに限らず、芯金４３が固定片３１ａ寄りに配置されるようにすることもできる。つまり、図５に示す中心軸Ｃ２を中心にパッチパネル固定装置４０を動作させるようにしても良い。この場合、上記実施の形態とは逆に、固定部材４１を略Ｌ字形状に屈曲成形するとともに、回動部材４２を略長方形形状に形成し、これらを芯金４３で回動自在に取り付ければ良い。
【００５１】
さらに、上記実施の形態においては、通信ケーブルとして各ＬＡＮケーブル２５，２６を用い、各ＬＡＮケーブル２５，２６を配線したパッチパネル３０に本発明を適用したものを示したが、本発明はこれに限らず、光ケーブルを配線するパッチパネルにも適用することができる。
【産業上の利用可能性】
【００５２】
本発明は、インターネット用サーバ等を設置したデータセンタに設置されるＬＡＮ配線システムに利用することができる。
【符号の説明】
【００５３】
１０    ＬＡＮ配線システム
２０    ラック
２１    底板
２２    天板
２３    フレーム部材
２４    マウントアングル
２４ａ    ねじ孔
２５，２６    ＬＡＮケーブル（通信ケーブル）
２６ａ    コネクタ
３０    パッチパネル
３１    パネルフレーム
３１ａ    固定片
３１ｂ    ねじ孔
３２    ローゼット
３２ａ    モジュラジャック
３３    前面側ケーブルサポートバー（ケーブルサポートバー）
３３ａ    取付脚部
３４    背面側ケーブルサポートバー（ケーブルサポートバー）
３４ａ    取付脚部
４０    パッチパネル固定装置
４１    固定部材（固定側取付部）
４１ａ    貫通孔
４１ｂ    筒状部
４２    回動部材
４２ａ    第１板状体
４２ｂ    第２板状体
４２ｃ    板状部
４２ｄ    回動側取付部
４２ｅ    筒状部
４２ｆ    貫通孔
４２ｇ    切欠部
４３    芯金
Ｃ１，Ｃ２    中心軸
Ｎ１，Ｎ２    固定ナット（締結具）
Ｎ３    取付ナット（固定具）
Ｓ１，Ｓ２    固定ボルト（締結具）
Ｓ３    取付ボルト（固定具）
ＳＰ１    間隙
ＳＰ２    逃げ間隙
ＵＢ    結束バンド
【図１】
0005613530.tif 000002
【図２】
0005613530.tif 000003
【図３】
0005613530.tif 000004
【図４】
0005613530.tif 000005
【図５】
0005613530.tif 000006